(57)【要約】      （修正有）【課題】少ない作業負担で各アクセスに関するアクセス内容の特徴を瞬時に把握するアクセスログ監視装置、方法及びプログラムを提供する。【解決手段】アクセスログ監視装置１０は、コンピュータへのアクセスごとに記録された、アクセスの詳細を示すアクセスログを、それぞれ取得するアクセスログ取得部１１と、取得したアクセスログごとに、音源選択部１５がアクセスログの記録内容に応じた音源データを選択する音源選択部１５と、選択された音源データを再生する音声処理部１６とを備える。【選択図】図１
2016062446.tif 000002
【特許請求の範囲】
【請求項１】
コンピュータへのアクセスごとに記録された、当該アクセスの詳細を示すアクセスログを、それぞれ取得するアクセスログ取得部と、
取得した前記アクセスログごとに、当該アクセスログの記録内容に応じた音源データを選択する音源選択部と、
選択された前記音源データを再生する音声処理部と
を備えることを特徴とするアクセスログ監視装置。
【請求項２】
請求項１に記載のアクセスログ監視装置において、
前記音源選択部は、前記アクセスログから当該記録内容に関する特徴データを抽出し、当該特徴データからなる特徴指標値に対して予め割り当てられている音源データを選択することを特徴とするアクセスログ監視装置。
【請求項３】
請求項２に記載のアクセスログ監視装置において、
前記音源選択部は、抽出した前記特徴データを分類し、当該分類からなる特徴指標値に対して予め割り当てられている音源データを選択することを特徴とするアクセスログ監視装置。
【請求項４】
請求項１〜請求項３のいずれか１つに記載のアクセスログ監視装置において、
前記アクセスログ取得部は、前記アクセスの発生に応じて当該アクセスに関する前記アクセスログを逐次取得し、
前記音源選択部は、取得した前記アクセスログごとに前記音源データを逐次選択し、
前記音声処理部は、選択された前記音源データを逐次再生する
ことを特徴とするアクセスログ監視装置。
【請求項５】
請求項１〜請求項３のいずれか１つに記載のアクセスログ監視装置において、
前記アクセスログ取得部は、前記アクセスログを取得する際、複数のアクセスログを１つのログファイルとして一括取得し、
前記音源選択部は、取得した前記ログファイルに含まれる前記アクセスログごとに前記音源データを選択し、
前記音声処理部は、選択された前記音源データを順に再生する
ことを特徴とするアクセスログ監視装置。
【請求項６】
請求項２〜請求項５のいずれか１つに記載のアクセスログ監視装置において、
前記アクセスのアクセス種別ごとに、前記特徴指標値と前記音源データとの割り当て関係を示す割当テーブルを記憶する割当テーブル記憶部をさらに備え、
前記音源選択部は、前記音源データを選択する際、前記割当テーブル記憶部から、前記アクセスログの記録対象である前記アクセスのアクセス種別に対して予め割り当てられている割当テーブルを参照して、前記特徴指標値と対応する前記音源データを選択することを特徴とするアクセスログ監視装置。
【請求項７】
請求項２〜請求項６のいずれか１つに記載のアクセスログ監視装置において、
指定された音源パラメータに固有の音源データを生成する音源データ生成部をさらに備え、
前記音源選択部は、前記音源データを選択する際、前記アクセスログから当該記録内容に関する特徴指標値を抽出し、当該特徴指標値を変換して得られた音源パラメータを前記音源データ生成部へ出力し、当該音源パラメータに基づき当該音源データ生成部で生成された音源データを前記音源データとして選択する
ことを特徴とするアクセスログ監視装置。
【請求項８】
請求項１〜請求項７のいずれか１つに記載のアクセスログ監視装置において、
前記音声処理部は、選択された前記音源データの再生に代えて、当該音源データを順に連結し１つの音声データとして出力することを特徴とするアクセスログ監視装置。
【請求項９】
コンピュータへのアクセスごとに記録された、当該アクセスの詳細を示すアクセスログを、それぞれ取得するアクセスログ取得ステップと、
取得した前記アクセスログごとに、当該アクセスログの記録内容に応じた音源データを選択する音源選択ステップと、
選択された前記音源データを再生する音声処理ステップと
を備えることを特徴とするアクセスログ監視方法。
【請求項１０】
コンピュータを、請求項１〜請求項８のいずれか１つに記載したアクセスログ監視装置を構成する各部として機能させるためのプログラム。
【発明の詳細な説明】
【技術分野】
【０００１】
本発明は、アクセス監視技術に関し、特にネットワークを介したコンピュータへのアクセス内容を監視し、そのアクセス内容の特徴を把握するためのアクセスログ監視技術に関する。
【背景技術】
【０００２】
ネットワークを介したコンピュータへのアクセス内容は、不正アクセスからシステムを防御し、適切なセキュリティー対策を講じる上で重要である。通常、このようなアクセス内容は、アクセスされた時点でコンピュータにより検出されてアクセスログとして出力され、これらがログファイルに順次保存される。
従来、このようなアクセスログに含まれるアクセス経路を監視し、正規のアクセス経路でない場合には不正アクセスとして判定し、その旨を画面で表示出力したり、音声やアラームを出力することにより、管理者に不正アクセスが発生したことを報知する技術が提案されている（例えば、特許文献１など参照）。
【先行技術文献】
【特許文献】
【０００３】
【特許文献１】特開２００２−０８４８４９号公報
【発明の概要】
【発明が解決しようとする課題】
【０００４】
通常、利用者が利用者端末からネットワークを介してコンピュータへアクセスし、Ｗｅｂページの閲覧や検索を行った場合、アクセス経路のほか、利用者端末のアドレス、端末種別、アクセス日時、利用者ＩＤ、アクセス先ＵＲＬ、アクセス時に入力した文字データなど、アクセス内容に関する各種の特徴がアクセスログとして記録されている。
したがって、このようなアクセスログに含まれるアクセス内容の特徴を用いれば、特定の不正アクセスを監視することができ、適切なセキュリティー対策を講じる上で極めて有用となる。また、このようなアクセス内容の特徴は、不正アクセスの監視だけでなく、利用者の興味や嗜好を収集・分析し、利用者へ配信するコンテンツ内容や閲覧・配信技術の工夫に役立てる上で極めて有用である。
【０００５】
ここで、コンピュータへのアクセス件数の増加に応じて、アクセスログの監視に要する作業が増大するため、大きな作業負担となる。また、アクセスログを画面表示して目視確認する方法では、見落としや見誤りが発生するだけでなく、アクセスログ選択のために手操作も必要となるため、管理者の目や手が監視以外の作業に使用できなくなる。このため、少ない作業負担で各アクセスに関するアクセス内容の特徴を瞬時に把握できる技術が望まれる。
【０００６】
しかしながら、前述した従来技術では、不正アクセスの有無を検知することを目的としているため、検知結果を報知する際、予め固定的に登録されている音声やアラームが出力されるものとなる。このため、不正アクセスの有無については、音声やアラームの出力有無により把握できるものの、不正アクセスの内容や違いについては、音声やアラームで把握することはできない。したがって、不正アクセスの内容や違いを監視するには、監視画面を確認する必要があり、前述と同様、少ない作業負担で各アクセスに関するアクセス内容の特徴を瞬時に把握することができないという問題点があった。
【０００７】
本発明はこのような課題を解決するためのものであり、少ない作業負担で各アクセスに関するアクセス内容の特徴を瞬時に把握することができるアクセスログ監視技術を提供することを目的としている。
【課題を解決するための手段】
【０００８】
このような目的を達成するために、本発明にかかるアクセスログ監視装置は、コンピュータへのアクセスごとに記録された、当該アクセスの詳細を示すアクセスログを、それぞれ取得するアクセスログ取得部と、取得した前記アクセスログごとに、当該アクセスログの記録内容に応じた音源データを選択する音源選択部と、選択された前記音源データを再生する音声処理部とを備えている。
【０００９】
また、本発明にかかる上記アクセスログ監視装置の一構成例は、前記音源選択部が、前記アクセスログから当該記録内容に関する特徴データを抽出し、当該特徴データからなる特徴指標値に対して予め割り当てられている音源データを選択するようにしたものである。
【００１０】
また、本発明にかかる上記アクセスログ監視装置の一構成例は、前記音源選択部が、抽出した前記特徴データを分類し、当該分類からなる特徴指標値に対して予め割り当てられている音源データを選択するようにしたものである。
【００１１】
また、本発明にかかる上記アクセスログ監視装置の一構成例は、前記アクセスログ取得部が、前記アクセスの発生に応じて当該アクセスに関する前記アクセスログを逐次取得し、前記音源選択部は、取得した前記アクセスログごとに前記音源データを逐次選択し、前記音声処理部は、選択された前記音源データを逐次再生するようにしたものである。
【００１２】
また、本発明にかかる上記アクセスログ監視装置の一構成例は、前記アクセスログ取得部が、前記アクセスログを取得する際、複数のアクセスログを１つのログファイルとして一括取得し、前記音源選択部は、取得した前記ログファイルに含まれる前記アクセスログごとに前記音源データを選択し、前記音声処理部は、選択された前記音源データを順に再生するようにしたものである。
【００１３】
また、本発明にかかる上記アクセスログ監視装置の一構成例は、前記アクセスのアクセス種別ごとに、前記特徴指標値と前記音源データとの割り当て関係を示す割当テーブルを記憶する割当テーブル記憶部をさらに備え、前記音源選択部は、前記音源データを選択する際、前記割当テーブル記憶部から、前記アクセスログの記録対象である前記アクセスのアクセス種別に対して予め割り当てられている割当テーブルを参照して、前記特徴指標値と対応する前記音源データを選択するようにしたものである。
【００１４】
また、本発明にかかる上記アクセスログ監視装置の一構成例は、指定された音源パラメータに固有の音源データを生成する音源データ生成部をさらに備え、前記音源選択部は、前記音源データを選択する際、前記アクセスログから当該記録内容に関する特徴指標値を抽出し、当該特徴指標値を変換して得られた音源パラメータを前記音源データ生成部へ出力し、当該音源パラメータに基づき当該音源データ生成部で生成された音源データを前記音源データとして選択するようにしたものである。
【００１５】
また、本発明にかかる上記アクセスログ監視装置の一構成例は、前記音声処理部が、選択された前記音源データの再生に代えて、当該音源データを順に連結し１つの音声データとして出力するようにしたものである。
【００１６】
また、本発明にかかるアクセスログ監視方法は、コンピュータへのアクセスごとに記録された、当該アクセスの詳細を示すアクセスログを、それぞれ取得するアクセスログ取得ステップと、取得した前記アクセスログごとに、当該アクセスログの記録内容に応じた音源データを選択する音源選択ステップと、選択された前記音源データを再生する音声処理ステップとを備えている。
【００１７】
また、本発明にかかるプログラムは、コンピュータを、前述したアクセスログ監視装置を構成する各部として機能させるためのプログラムである。
【発明の効果】
【００１８】
本発明によれば、利用者端末からコンピュータへのアクセスの内容が、可視化ではなく可聴化されて管理者に報知されることになる。したがって、管理者は、アクセスログを画面表示で目視確認する必要がなくなり、見落としや見誤りを低減できるだけでなく、アクセスログ選択のための手操作も不要となるため、管理者の目や手が監視以外の作業に使用することができるようになる。
【００１９】
このため、少ない作業負担で各アクセスに関するアクセス内容の特徴を瞬時に把握することが可能となる。特に、音源データの再生結果は、ある程度の音楽性を有しているため、楽しみを持って監視作業を行うことができ、管理者への作業負担を緩和する効果が得られる。また、このようなランダムな内容のアクセスログに基づく音源データの再生は、多様なパターンによるインストラクションの創出に利用することもできる。
【図面の簡単な説明】
【００２０】
【図１】第１の実施の形態にかかるアクセスログ監視装置の構成を示すブロック図である。
【図２】アクセスログの構成例である。
【図３】割当テーブルの構成例である。
【図４】第１の実施の形態にかかるアクセスログ監視処理を示すフローチャートである。
【図５】第１の実施の形態にかかる音源データの選択例を示す説明図である。
【図６】第１の実施の形態にかかる音声信号の出力例である。
【図７】第２の実施の形態にかかるアクセスログ監視処理を示すフローチャートである。
【図８】第２の実施の形態にかかる音源データの選択例を示す説明図である。
【図９】第２の実施の形態にかかる音声信号の出力例である。
【図１０】割当テーブル記憶部の構成例である。
【図１１】第４の実施の形態にかかるアクセスログ監視装置の構成を示すブロック図である。
【図１２】音源データの生成過程を示す説明図である。
【発明を実施するための形態】
【００２１】
次に、本発明の実施の形態について図面を参照して説明する。
［第１の実施の形態］
まず、図１を参照して、本発明の第１の実施の形態にかかるアクセスログ監視装置１０について説明する。図１は、第１の実施の形態にかかるアクセスログ監視装置の構成を示すブロック図である。
【００２２】
このアクセスログ監視装置１０は、全体としてサーバ装置やパーソナルコンピュータなどの情報処理装置からなり、通信ネットワークＮＷを介して監視対象となるコンピュータ２０と接続し、利用者端末３０から通信ネットワークＮＷを介したコンピュータ２０へのアクセスごとに、コンピュータ２０で記録されたアクセスログを取得して監視する機能を有している。
【００２３】
コンピュータ２０は、全体としてサーバ装置などの情報処理装置からなり、利用者端末３０からのアクセスに応じて、ニュースなどの情報配信、広告配信、Ｗｅｂ検索、ショッピング、オークションなど、各種のネットワークサービスを、単独あるいは複合的に提供する機能を有している。
利用者端末３０は、パーソナルコンピュータ、タブレット、スマートホンなどの情報通信端末からなり、利用者操作に応じてコンピュータ２０にアクセスして、各種ネットワークサービスを利用する機能を有している。
【００２４】
本実施の形態にかかる発明は、アクセスログ監視装置１０が、コンピュータ２０から取得したアクセスログごとに、当該アクセスログの内容に応じた音源データを選択して再生するようにしたものである。本実施の形態では、コンピュータ２０でのアクセスの発生に応じてアクセスログが記録された時点で、逐次、アクセスログを取得しその内容に応じた音源データを再生する、リアルタイム監視動作を例として説明する。
【００２５】
［アクセスログ監視装置］
次に、図１を参照して、本実施の形態にかかるアクセスログ監視装置１０の構成について詳細に説明する。
アクセスログ監視装置１０には、主な機能部として、アクセスログ取得部１１、ログデータ記憶部１２、割当テーブル記憶部１３、音源データ記憶部１４、音源選択部１５、および音声処理部１６とが設けられている。
【００２６】
これら機能部のうち、アクセスログ取得部１１、音源選択部１５、および音声処理部１６は、ＣＰＵでプログラムを実行することにより各種処理を実行する演算処理部から実現されている。また、ログデータ記憶部１２、割当テーブル記憶部１３、および音源データ記憶部１４は、ハードディスクや半導体メモリなどの記憶装置から構成されている。
【００２７】
アクセスログ取得部１１は、通信回線Ｌおよび通信ネットワークＮＷを介して、監視対象として予め設定されているコンピュータ２０とデータ通信を行うことにより、利用者端末３０からコンピュータ２０へのアクセスごとに記録された、当該アクセスの詳細を示すアクセスログをそれぞれ取得し、ログデータ記憶部１２へ保存する機能を有している。
【００２８】
ログデータ記憶部１２は、アクセスログ取得部１１で取得したアクセスログを記憶する機能を有している。
図２は、アクセスログの構成例である。アクセスログは、利用者端末３０からコンピュータ２０へのアクセスの詳細を示すデータである。ここでは、アクセス種別が広告の場合、すなわち利用者が閲覧した画面に表示された広告に対する選択操作に関するアクセスの詳細を、アクセスログとして記録した例が示されている。
【００２９】
図２の例では、アクセスが発生したアクセス日およびアクセス時間、アクセス先となるコンピュータ２０のＩＰドメイン、利用者が選択操作（クリックやタップ）した広告を識別するための広告識別ＩＤ、利用者端末３０のアドレスを示すユーザアドレス、利用者に固有のＩＤを示すユーザＩＤ、利用者の性別、年齢、および所在地を示すユーザ性別、ユーザ年齢、およびユーザ所在地、ＰＣ，タブレット，スマートホンなどの利用者端末３０の端末種別、当該アクセスがロボット型検索か否かを示すロボットフラグなどの記録項目が、アクセスログとして記録されている。
【００３０】
割当テーブル記憶部１３は、アクセスログから抽出した特徴データやその分類からなる特徴指標値と音源データとの割り当て関係を示す割当テーブルを記憶する機能を有している。
図３は、割当テーブルの構成例である。割当テーブルには、図２の例で示したアクセスログに含まれている選択広告ＩＤごとに、当該選択広告ＩＤと対応する広告が選択操作された場合に出力すべき音源データのファイル名が登録されている。信号波形は、音源データの信号波形を示す参考例である。ここでは、アクセスログから抽出した特徴指標値と該当する特徴指標値が割当テーブル内に登録されていない場合に出力すべき音源データのファイル名も登録されている。
【００３１】
音源データ記憶部１４は、各特徴指標値に割り当てられる音源データを記憶する機能を有している。音源データは、例えばｗａｖ形式やｍｐｇ形式の音声ファイルからなり、予め登録されているものとする。
【００３２】
音源選択部１５は、アクセスログ取得部１１で取得してログデータ記憶部１２に保存したアクセスログごとに、当該アクセスログから記録内容に関する特徴データを抽出する機能と、抽出した特徴データからなる特徴指標値に対して予め割り当てられている音源データを選択し、音声処理部１６へ出力する機能とを有している。
【００３３】
この際、音源選択部１５は、アクセスログから当該記録内容に関する特徴データを抽出し、当該特徴データからなる特徴指標値に対して予め割り当てられている音源データを選択してもよい。あるいは、抽出した特徴データを分類し、当該分類からなる特徴指標値に対して予め割り当てられている音源データを選択するようにしてもよい。
【００３４】
音声処理部１６は、音源選択部１５から出力された音源データを音声信号に復号する復号処理を行う機能と、得られた音声信号をアクセスログの監視結果としてスピーカやイヤホン（ともに図示せず）へ出力する機能とを有している。
【００３５】
［第１の実施の形態の動作］
次に、図４を参照して、本実施の形態にかかるアクセスログ監視装置１０の動作について説明する。図４は、第１の実施の形態にかかるアクセスログ監視処理を示すフローチャートである。
【００３６】
アクセスログ監視装置１０は、管理者からの操作に応じて、予め監視対象として指定されたコンピュータ２０のアクセスログをリアルタイムで監視する場合、図４のアクセスログ監視処理を実行する。なお、監視処理の実行に際し、割当テーブル記憶部１３には、割当テーブルが予め登録されているとともに、音源データ記憶部１４には、各種音源データが予め登録されているものとする。
【００３７】
まず、アクセスログ取得部１１は、コンピュータ２０に接続して新たなアクセスログが記録されるまで待機し（ステップ１００）、新たなアクセスログの記録に応じて（ステップ１００：ＹＥＳ）、当該アクセスログを取得してログデータ記憶部１２に保存する（ステップ１０１）。
【００３８】
次に、音源選択部１５は、ログデータ記憶部１２に保存したアクセスログを読み出し、当該アクセスログからその記録内容に関する特徴データを抽出し（ステップ１０２）、割当テーブル記憶部１３に登録されている割当テーブルを参照して、抽出した特徴データからなる特徴指標値に対して予め割り当てられている音源データを選択して、音声処理部１６へ出力する（ステップ１０３）。
【００３９】
続いて、音声処理部１６は、音源選択部１５から出力された音源データを音声信号に復号し、この音声信号をアクセスログの監視結果としてスピーカやイヤホンから再生出力する（ステップ１０４）。
この後、管理者からの操作により監視終了が指示されているか確認し（ステップ１０５）、監視終了が指示されていない場合（ステップ１０５：ＮＯ）、ステップ１００へ戻って新たなアクセスログが記録されるまで待機する。一方、監視終了が指示されている場合には（ステップ１０５：ＹＥＳ）、一連の監視処理を終了する。
【００４０】
図５は、第１の実施の形態にかかる音源データの選択例を示す説明図である。まず、時刻Ｔ１にアクセスログＬＯＧ１が取得された場合、その選択広告ＩＤが「ＳＩＧｘｘｘｘ００１」であることから、前述した図３の割当テーブルに基づき音源データ「ｐｉｎｇ．ｗａｖ」が選択されている。次に、時刻Ｔ２にアクセスログＬＯＧ２が取得された場合、その選択広告ＩＤが「ＳＩＧｘｘｘｘ００３」であることから、同様にして音源データ「ｂｅｅｐ．ｗａｖ」が選択されている。
【００４１】
この後、時刻Ｔ３にアクセスログＬＯＧ３が取得された場合、その選択広告ＩＤが「ＳＩＧｘｘｘｘ００９」であり該当する特徴指標値が割当テーブルに登録されていないことから、該当なしと判定されて、音源データ「ｐｅｅｐ．ｗａｖ」が選択されている。続いて、時刻Ｔ４にアクセスログＬＯＧ４が取得された場合、その選択広告ＩＤが「ＳＩＧｘｘｘｘ００２」であることから、同様にして音源データ「ｐｏｎｇ．ｗａｖ」が選択されている。
【００４２】
図６は、第１の実施の形態にかかる音声信号の出力例である。ここでは、図５の音源データの選択例に応じた出力例が示されている。
まず、時刻Ｔ１に音源データ「ｐｉｎｇ．ｗａｖ」が選択されて、対応する音声信号が出力され、続く時刻Ｔ２に音源データ「ｂｅｅｐ．ｗａｖ」が選択されて、対応する音声信号が出力されている。この後、時刻Ｔ３に音源データ「ｐｅｅｐ．ｗａｖ」が選択されて、対応する音声信号が出力され、続く時刻Ｔ４に音源データ「ｐｏｎｇ．ｗａｖ」が選択されて、対応する音声信号が出力されている。
【００４３】
これら音声信号は、コンピュータ２０へのアクセスとほぼ同期して再生されるため、管理者は、特定の広告に対する利用者の選択操作をリアルタイムで監視することができる。なお、音声処理部１６は、これら音声信号の再生結果を１つの音声データ「ｙａｈｏｏ．ｘｘｘｘ．ｍｐｇ」としてファイル保存するようにしてもよい。この際、音声信号間の無音区間については、音声信号とともにそのまま保存してもよく、無音区間を省いて音声信号だけを一定間隔で保存してもよい。
【００４４】
［音源データの割り当て］
割当テーブルにおける特徴指標値に対する音源データの割り当てについては、監視したいアクセスに対して特徴的な音源データを割り当てることにより、管理者による監視作業の効率化を図ることができる。
例えば、利用者が広告Ａを選択操作したことを監視したい場合には、広告Ａの特徴指標値に対して、他の音源データと比較してある程度低い周波数の音源データを割り当てることにより、他の広告に対する選択操作と容易に区別することができる。
【００４５】
音源データについては、人が区別できる音声信号であればよく、例えば音の周波数（音階）のほか、音色、時間長、エンベロープ、振幅（音量）、スイープ（周波数変化）、和音などの要素を、単独または組み合わせて用いればよい。この際、定型的な音源データとして、正弦波、三角波、矩形波、ノイズ、デューティ比などの波形形状の違いで表現してもよく、より複雑にはピアノ、ギター、バイオリン、フルートなど楽器の違いでもよい。さらには、サンプリングした音声信号を用いてもよい。
【００４６】
また、監視したいアクセスを連想させる音源データを割り当ててもよい。例えば、広告の選択操作を監視する場合には、当該広告のテレビＣＭで流れる音声の一部を割り当ててもよい。あるいは、オークションサービスにおいて落札を監視したい場合には、実際の落札時に鳴らされる落札ハンマーの音を割り当ててもよい。また、不正アクセスを監視するには、監視したい不正アクセスの内容や違いごとに、パトカーや消防車などの異なるアラーム音を割り当てればよい。
【００４７】
［第１の実施の形態の効果］
このように、本実施の形態は、アクセスログ取得部１１で取得したアクセスログごとに、音源選択部１５が当該アクセスログの記録内容に応じた音源データを選択し、音声処理部１６が、選択された音源データを再生するようにしたものである。
【００４８】
これにより、利用者端末３０からコンピュータ２０へのアクセスの内容が、可視化ではなく可聴化されて管理者に報知されることになる。したがって、管理者は、アクセスログを画面表示で目視確認する必要がなくなり、見落としや見誤りを低減できるだけでなく、アクセスログ選択のための手操作も不要となるため、管理者の目や手が監視以外の作業に使用することができるようになる。
【００４９】
このため、少ない作業負担で各アクセスに関するアクセス内容の特徴を瞬時に把握することが可能となる。特に、音源データの再生結果は、ある程度の音楽性を有しているため、楽しみを持って監視作業を行うことができ、管理者への作業負担を緩和する効果が得られる。また、このようなランダムな内容のアクセスログに基づく音源データの再生は、多様なパターンによるインストラクションの創出に利用することもできる。
【００５０】
また、アクセスログに基づく音源データの再生だけでなく、アクセスログに基づく画像・映像を組み合わせてもよい。これにより、利用者端末３０からコンピュータ２０へのアクセスの内容が、可聴化および可視化されて管理者に報知されることになる。したがって、管理者は、耳と目の両方でアクセスログを監視でき、より多くの監視対象を容易に識別できるとともに、より多彩なインストラクションの創出することが可能となる。
【００５１】
また、本実施の形態において、音源選択部１５で、アクセスログから当該記録内容に関する特徴データを抽出し、当該特徴データからなる特徴指標値に対して予め割り当てられている音源データを選択してもよい。これにより、アクセスログの記録内容に応じた音源データを再生することができる。
【００５２】
また、本実施の形態において、音源選択部１５で、抽出した特徴データを分類し、当該分類からなる特徴指標値に対して予め割り当てられている音源データを選択するようにしてもよい。これにより、類似性のある特徴データを持つアクセスログについては、同じ音源データが再生されるため、監視に必要となる音源データの数を削減できるだけでなく、管理者がアクセス内容を容易に把握することができる。
【００５３】
また、本実施の形態では、コンピュータ２０でのアクセスの発生に応じてアクセスログが記録された時点で、逐次、アクセスログを取得しその内容に応じた音源データを再生する、リアルタイム監視動作を例として説明したが、音源データについてはリアルタイム再生ではなく、バッチ処理的に一括再生してもよい。
この場合、音声処理部１６が、音源選択部１５で選択された音源データの再生に代えて、当該音源データを順に連結し１つの音声データ（音声ファイル）として出力すればよい。これにより、アクセスが発生したタイミングではなく、そのあとで各アクセスログの内容を一括して監視することができ、管理者がリアルタイムで再生出力を視聴し続ける必要がなくなる。また、音源データの再生時には、通信ネットワークＮＷを介してコンピュータ２０と接続されている必要はなく、さらには音源データを他の装置で再生することも可能となる。
【００５４】
［第２の実施の形態］
次に、図７を参照して、本発明の第２の実施の形態にかかるアクセスログ監視装置１０について説明する。図７は、第２の実施の形態にかかるアクセスログ監視処理を示すフローチャートである。
第１の実施の形態では、リアルタイム監視動作を例として説明した。本実施の形態では、複数のアクセスログが１つにまとめられたログファイルをコンピュータ２０から取得して、このログファイルに含まれるそれぞれのアクセスログを順に監視して音源データを再生する、バッチ監視動作について説明する。
【００５５】
本実施の形態にかかるアクセスログ監視装置１０の全体構成は、図１と同様であるが、アクセスログ取得部１１と音源データ選択部１５の機能が異なる。
本実施の形態において、アクセスログ取得部１１は、アクセスログを取得する際、複数のアクセスログを１つのログファイルとして一括取得して、ログデータ記憶部１２に保存する機能を有している。
【００５６】
音源選択部１５は、アクセスログ取得部１１で取得してログデータ記憶部１２に保存したログファイルを読み出し、このログファイルに含まれる停るアクセスログごとに、当該アクセスログから記録内容に関する特徴データを抽出する機能と、抽出した特徴データからなる特徴指標値に対して予め割り当てられている音源データを選択し、音声処理部１６へ出力する機能とを有している。
【００５７】
［第２の実施の形態の動作］
次に、図７を参照して、本実施の形態にかかるアクセスログ監視装置１０の動作について説明する。
アクセスログ監視装置１０は、管理者からの操作に応じて、予め監視対象として指定されたコンピュータ２０のアクセスログを一括して監視する場合、図７のアクセスログ監視処理を実行する。なお、監視処理の実行に際し、割当テーブル記憶部１３には、割当テーブルが予め登録されているとともに、音源データ記憶部１４には、各種音源データが予め登録されているものとする。
【００５８】
まず、アクセスログ取得部１１は、コンピュータ２０に接続して複数のアクセスログが含まれているログファイルを取得してログデータ記憶部１２に保存する（ステップ２００）。
この後、音源選択部１５は、ログデータ記憶部１２に保存したログファイルを読み出し、ファイル先頭から（アクセス日時の最も古いものから）未処理のアクセスログを１つ選択する（ステップ２０１）。
【００５９】
次に、音源選択部１５は、選択したアクセスログからその記録内容に関する特徴データを抽出し（ステップ２０２）、割当テーブル記憶部１３に登録されている割当テーブルを参照して、抽出した特徴データからなる特徴指標値に対して予め割り当てられている音源データを選択して、音声処理部１６へ出力する（ステップ２０３）。
【００６０】
続いて、音声処理部１６は、音源選択部１５から出力された音源データを音声信号に復号し、この音声信号をアクセスログの監視結果としてスピーカやイヤホンから再生出力する（ステップ２０４）。
この後、ログファイルに未処理のアクセスログが存在するか確認し（ステップ２０５）、未処理のアクセスログが存在する場合（ステップ２０５：ＹＥＳ）、ステップ２０１へ戻って新たな未処理のアクセスログを選択する。一方、すべてのアクセスログの処理が終了した場合（ステップ２０５：ＮＯ）、一連の監視処理を終了する。
【００６１】
図８は、第２の実施の形態にかかる音源データの選択例を示す説明図である。ここでは、一定間隔ｔごとに、ログファイルからアクセスログＬＯＧ１，ＬＯＧ２，ＬＯＧ３，ＬＯＧ４か読み出されている。ここで、アクセスログＬＯＧ１，ＬＯＧ２，ＬＯＧ３，ＬＯＧ４の選択広告ＩＤが、それぞれ「ＳＩＧｘｘｘｘ００１」，「ＳＩＧｘｘｘｘ００３」，「ＳＩＧｘｘｘｘ００９」，「ＳＩＧｘｘｘｘ００２」であることから、前述した図３の割当テーブルに基づきこれら選択広告ＩＤに対応する音源データ「ｐｉｎｇ．ｗａｖ」，「ｂｅｅｐ．ｗａｖ」，「ｐｅｅｐ．ｗａｖ」，「ｐｏｎｇ．ｗａｖ」が順に選択されている。
【００６２】
図９は、第２の実施の形態にかかる音声信号の出力例である。ここでは、図８の音源データの選択例に応じた出力例が示されており、一定間隔ｔごとに、音源データ「ｐｉｎｇ．ｗａｖ」，「ｂｅｅｐ．ｗａｖ」，「ｐｅｅｐ．ｗａｖ」，「ｐｏｎｇ．ｗａｖ」に対する音声信号が出力されている。
これら音声信号は、一定間隔ｔごと、さらには予め設定したリズムに合わせて再生することができるため、第１の実施の形態と比較して、より高い音楽性を発揮することが可能となる。なお、音声処理部１６は、これら音声信号の再生結果を１つの音声データ「ｙａｈｏｏ．ｘｘｘｘ．ｍｐｇ」としてファイル保存するようにしてもよい。
【００６３】
［第２の実施の形態の効果］
このように、本実施の形態は、アクセスログ取得部１１が、アクセスログを取得する際、複数のアクセスログを１つのログファイルとして一括取得し、音源選択部１５が、取得したログファイルに含まれるアクセスログごとに音源データを選択し、音声処理部１６が、選択された音源データを順に再生するようにしたものである。
【００６４】
これにより、リアルタイム監視動作ではなくバッチ監視動作であっても、第１の実施の形態と同様に、利用者端末３０からコンピュータ２０へのアクセスの内容が、可視化ではなく可聴化されて管理者に報知されることになる。したがって、管理者は、アクセスログを画面表示で目視確認する必要がなくなり、見落としや見誤りを低減できるだけでなく、アクセスログ選択のための手操作も不要となるため、管理者の目や手が監視以外の作業に使用できなくなる。
【００６５】
これに加えて、アクセスが発生したタイミングではなく、そのあとで各アクセスログの内容を一括して監視することができ、管理者がリアルタイムで再生出力を視聴し続ける必要がなくなる。このため、監視に要する所要時間を短縮でき、管理者への作業負担を大幅に削減できる。
【００６６】
［第３の実施の形態］
次に、本発明の第３の実施の形態にかかるアクセスログ監視装置１０について説明する。第１および第２の実施の形態では、割当テーブルが１つの場合を例として説明した。本実施の形態では、複数の割当テーブルをアクセス種別に応じて切替選択して用いる場合について説明する。
【００６７】
監視対象となるコンピュータ２０では、利用者端末３０からのアクセスに応じて、ニュースなどの情報配信、広告配信、Ｗｅｂ検索、ショッピング、オークションなど、各種のネットワークサービスを、単独あるいは複合的に提供される。
したがって、これらサービスごとに監視したいアクセスが異なるため、アクセスログの記録内容に応じた音源データを割り当てる際、同じ特徴指標値であっても、その特徴指標値に割り当てる音源データを切り替える必要がある。
【００６８】
例えば、自動車の広告に対するアクセスを監視する場合、男性によるアクセスは購入者となる可能性が比較的高いため、より区別しやすい音源データを割り当てることが効果的であるが、女性によるアクセスは購入者となる可能性が比較的低いため、区別しやすい音源データを割り当てる効果は低い。
一方、アクセサリの広告に対するアクセスを監視する場合、女性によるアクセスは購入者となる可能性が比較的高いため、より区別しやすい音源データを割り当てることが効果的であるが、男性によるアクセスは購入者となる可能性が比較的低いため、区別しやすい音源データを割り当てる効果は低い。
【００６９】
本実施の形態は、割当テーブル記憶部１３が、アクセスのアクセス種別ごとに、特徴指標値と音源データとの割り当て関係を示す割当テーブルをそれぞれ記憶し、音源選択部１５が、音源データを選択する際、割当テーブル記憶部１３から、アクセスログの記録対象であるアクセスのアクセス種別に対して予め割り当てられている割当テーブルを参照して、特徴指標値と対応する音源データを選択するようにしたものである。
【００７０】
図１０は、割当テーブル記憶部の構成例である。ここでは、「広告・自動車」，「広告・アクセサリ」，「検索」，「ショッピング」，「オークション」などのアクセス種別ごとに、「ｃｍ＿ｃａｒ．ｔｂｌ」，「ｃｍ＿ａｃｃｅｓｓｏｒｙ．ｔｂｌ」，「ｓｅａｒｃｈ．ｔｂｌ」，「ｓｈｏｐｐｉｎｇ．ｔｂｌ」，「ａｕｃｔｉｏｎ．ｔｂｌ」などの個別の割当テーブルが関連付けされている。
【００７１】
［第３の実施の形態の効果］
このように、本実施の形態は、音源選択部１５が、音源データを選択する際、割当テーブル記憶部１３から、アクセスログの記録対象であるアクセスのアクセス種別に対して予め割り当てられている割当テーブルを参照して、特徴指標値と対応する音源データを選択するようにしたものである。
これにより、アクセス種別に応じて、特徴指標値に対する音源データの割り当てを切り替えることができ、より効率よくアクセスログを監視することが可能となる。
【００７２】
［第４の実施の形態］
次に、図１１を参照して、本発明の第４の実施の形態にかかるアクセスログ監視装置１０について説明する。図１１は、第４の実施の形態にかかるアクセスログ監視装置の構成を示すブロック図である。
第１〜第３の実施の形態では、音源データ記憶部１４に複数の音源データを予め登録しておく場合を例として説明した。本実施の形態では、アクセスログの記録内容に基づいて音源データを生成する場合について説明する。
【００７３】
図１１では、図１に示した割当テーブル記憶部１３および音源データ記憶部１４に代えて、指定された音源パラメータに基づいて、当該音源パラメータに固有の音源データを生成する音源データ生成部１７が設けられている。
【００７４】
図１２は、音源データの生成過程を示す説明図である。音源データは、信号波形の振幅をデジタル値からなる音源パラメータで表現したものである。例えば、図１２では、０〜ｆまでの１６ビット符号を信号波形の振幅に割り当て、すなわち復号処理することにより、デジタル値で信号波形の振幅を表現した例である。このデジタル値が示す振幅を音声信号に変換してスピーカやイヤホンから再生出力すれば、音声として報知されることになる。
【００７５】
一方、アクセスログの記録内容は、監視したい項目がいくつか含まれており、これら項目のデータを固定長のデジタル値に変換することができる。例えば、ＭＤ５（Message Digest Algorithm 5）と呼ばれる公知のハッシュ関数（hash function）は、与えられた入力に対して１２８ビットのハッシュ値に要約して出力する要約関数である。
【００７６】
したがって、アクセスログから抽出した特徴指標値を、ハッシュ関数などの要約関数で固定長のデジタル値からなる音源パラメータに変換し、この音源パラメータに基づき音源データを生成することができる。
なお、音源パラメータへの変換については、固定長のデジタル値を変換出力する要約関数に限定されることはなく、音源データの長さが変化してもよければ、可変長のデジタル値を変換出力する関数であってもよい。
【００７７】
［第４の実施の形態の効果］
このように、本実施の形態は、指定された音源パラメータに固有の音源データを生成する音源データ生成部１７を備え、音源選択部１５が、音源データを選択する際、アクセスログから当該記録内容に関する特徴指標値を抽出し、当該特徴指標値を変換して得られた音源パラメータを音源データ生成部１７へ出力し、この音源パラメータに基づき当該音源データ生成部１７で生成された音源データを音源データとして選択するようにしたものである。
【００７８】
これにより、アクセスログから抽出した特徴指標値ごとに、固有の音源データが生成されて再生されることになる。この際、音源データ生成部１７はソフトウェアで実現することができるため、割当テーブル記憶部１３および音源データ記憶部１４を設ける必要がなくなり、回路規模を削減できる。
【００７９】
この際、音源パラメータとして、音源選択部１５が、アクセスログから抽出した特徴データを分類し、当該分類を示す分類値からなる特徴指標値を変換した値を用いてもよい。図１２に示したように、デジタル値で信号波形の振幅を表現した場合、わずかな信号波形の差では、人が聞き分けられない場合もある。このため、アクセスログから抽出した特徴データそのものを要約変換するのではなく、人がある程度聞き分けられる分類値に各特徴データを分類すれば、対象とするアクセスを容易に区別することが可能となる。
【００８０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００８１】
１０…アクセスログ監視装置、１１…アクセスログ取得部、１２…ログデータ記憶部、１３…割当テーブル記憶部、１４…音源データ記憶部、１５…音源選択部、１６…音声処理部、１７…音源データ生成部、２０…コンピュータ、３０…利用者端末、ＮＷ…通信ネットワーク、Ｌ…通信回線。
【図１】
2016062446.tif 000003
【図２】
2016062446.tif 000004
【図３】
2016062446.tif 000005
【図４】
2016062446.tif 000006
【図５】
2016062446.tif 000007
【図６】
2016062446.tif 000008
【図７】
2016062446.tif 000009
【図８】
2016062446.tif 000010
【図９】
2016062446.tif 000011
【図１０】
2016062446.tif 000012
【図１１】
2016062446.tif 000013
【図１２】
2016062446.tif 000014